(57)【要約】  かみそりハンドルは、長手方向に延びるハンドル本体を含み、該ハンドル本体は、第１の材料を含み、前部と後部とを有する。該かみそりハンドルは、かみそりカートリッジに接続するためのハンドル本体の前部から延びる接続部をさらに含み、後部が第２の材料を含み、第２の材料が第１の材料よりも弾性であり、それによって後部が前部に対して移動可能である。【選択図】図１
2020516329.tif 000002
【特許請求の範囲】
【請求項１】
長手方向（Ｌ２６）に延在するハンドル本体（２６）を備えるかみそりハンドル（２４）であって、前記ハンドル本体（２６）は、第１の材料を備え、前部（２８）と後部（３０）とを有し、前記かみそりハンドル（２４）は、長手方向（Ｌ２６）に沿って形成された長手方向平面（Ｌ）と、長手方向平面（Ｌ）に垂直な横軸（Ｔ）とをさらに備え、前記長手方向平面（Ｌ）は頂部（２６Ａ）および底部（２６Ｂ）に前記ハンドル本体（２６）を分離し、前記かみそりハンドル（２４）は、かみそりカートリッジ（２２）に接続するため前記ハンドル本体（２６）の前記前部（２８）から延びる接続部（３２）をさらに備え、ここで、前記後部（３０）は第２の材料を含み、前記第２の材料は前記第１の材料よりも弾性であり、それによって前記後部（３０）は前記前部（２８）に対して移動可能であり、前記後部（３０）は前記前部（２８）に対して前記横軸（Ｔ）に沿って上下に移動可能であることを特徴とする、かみそりハンドル（２４）。
【請求項２】
前記後部（３０）は、前記長手方向（Ｌ２６）および前記横軸（Ｔ）に垂直な回転軸の周りを回転する、請求項１に記載のかみそりハンドル（２４）。
【請求項３】
前記後部（３０）は後自由端（５１）を含み、前記後自由端（５１）は全体的に前記第２の材料でできている、請求項１から２のいずれか１項に記載のかみそりハンドル（２４）。
【請求項４】
前記後部（３０）の長さ（Ｌ３０）は、約２５ｍｍから５０ｍｍである、請求項１から３のいずれか１項に記載のかみそりハンドル（２４）。
【請求項５】
前記後部（３０）はさらに突出部（５５）を含み、前記突出部は前記後部（３０）に沿って延びる、請求項１から４のいずれか１項に記載のかみそりハンドル（２４）。
【請求項６】
前記突出部（５５）は完全には見えない、請求項５に記載のかみそりハンドル（２４）。
【請求項７】
前記ハンドル本体（２６）は、前記長手方向Ｌ２６に沿って一定でない幅を有する、請求項１に記載のかみそりハンドル（２４）。
【請求項８】
前記後部（３０）は、自由端部（５０）と、前記底部（２６Ｂ）に配置された底部グリップ（５４）とを含み、前記自由端部（５０）は、前記底部グリップ（５４）用の凹部を形成する、請求項１から２のいずれか１項に記載のかみそりハンドル（２４）。
【請求項９】
前記自由端部（５０）と前記底部グリップ（５４）は弾性部（４２）によって分離されている、請求項８に記載のかみそりハンドル（２４）。
【請求項１０】
前記弾性部（４２）は、前記頂部（２６Ａ）上に頂部グリップ（５６）をさらに含む、請求項９に記載のかみそりハンドル（２４）。
【請求項１１】
前記弾性部（４２）は、前記第２の材料からなる、請求項１０に記載のかみそりハンドル（２４）。
【請求項１２】
前記自由端部（５０）および前記底部グリップ（５４）は前記第１の材料でできている、請求項８から１０のいずれか１項に記載のかみそりハンドル（２４）。
【請求項１３】
前記底部グリップ（５４）は、前記底部（２６Ｂ）から離れる、前記後部（３０）の下方への移動を制限する、請求項１２に記載のかみそりハンドル（２４）。
【請求項１４】
前記低部グリップ（５４）は、前記頂部（２６Ａ）から離れる、前記後部（３０）の上方への動きを制限する、請求項１２に記載のかみそりハンドル（２４）。
【発明の詳細な説明】
【技術分野】
【０００１】
本開示はシェービングかみそりのためのかみそりハンドルに関し、かみそりハンドルは、弾性部分およびそのようなかみそりハンドルを含むシェービングかみそりを含む。
【背景技術】
【０００２】
かみそりハンドルは、一般に、後部と前部を有する細長いハンドル本体を含む。ハンドル本体はまた、かみそりカートリッジに接続するための、前部から延びる接続部を含む。通常、カートリッジは、かみそりハンドルに取り付けられると、上下に枢動し、カートリッジと表面との間の一定の接触を確保して剃毛する。剃毛経験を改善するために、かみそりハンドルは典型的には柔軟な特徴を含む。伝統的な可撓性の特徴は、かみそりハンドルがカートリッジに最も近いかみそりハンドルの頂部からかみそりハンドルの底部まで動くことを可能にする。かみそりハンドルにおけるこの種の柔軟性は、より安全でより快適な剃毛経験を可能にしない。なぜなら、かみそりハンドルにおける柔軟性の全範囲が、剃毛の精度を低下させるからである。
【０００３】
例えば、国際公開第２００６０８１８３９号は、硬い芯と圧縮可能なエラストマー材料の層とを有するかみそりハンドルを開示しており、圧縮可能なエラストマー材料の層は、かみそりハンドルの外面を画定し、外面は指置き領域を画定する。したがって、そのようなハンドルは第１および第２の材料を含み、第２の材料は第１の材料よりも弾力性があり、後部は第２の材料を含む。
【発明の概要】
【０００４】
本開示によれば、シェービングかみそりは、かみそりハンドルの残りの部分に対して移動することができるかみそりハンドルの後部を有するかみそりハンドルを含み得る。本明細書のかみそりハンドルもまた、その単純な概念のために容易に製造される。
【０００５】
本開示の態様は、第１の材料から形成されたハンドル本体を有するかみそりハンドルを含む。ハンドル本体は前部と後部を含む。かみそりハンドルは、長手方向に沿って形成された長手方向平面と、長手方向平面に垂直な横軸とをさらに含み、長手方向平面は、ハンドル本体を頂部と底部とに分離する。かみそりハンドルは、かみそりカートリッジへの接続のためにハンドル本体の前部から延びる接続部をさらに含む。ハンドル本体の後部は、第１の材料とは異なる第２の材料から形成されてもよい。例えば、第２の材料は第１の材料よりも弾性的であり、それによってハンドル本体の後部は前部に対して移動可能である。このような構成は、剃毛中にシェービングかみそりに自由度を追加することによって剃毛経験を改善する。さらに、後部は、前部に対して横軸に沿って上下に移動可能である。
【０００６】
さらなる態様では、以下の特徴のうちの１つ以上を、単独でまたは組み合わせて組み込むことができる。
−  かみそり本体の後部の柔軟性は、かみそりハンドルの長さを短くすることによってかみそりハンドルの全体の突出長さに影響を及ぼし得る。これは、ユーザの手の大きさにかかわらず、かみそりハンドルを扱いやすくし、これにより、かみそりハンドルをあらゆるユーザによく適合させることができる。
−  自由端部は、全く弾性であってもよく、それによってかみそりハンドルの人間工学を改善する。
−  第２の材料の弾性的性質は、後部および／または第１の材料からなる前部と第２の材料からなる後部との間の移動を容易にする。
−  後部は底部グリップを含むことができる。
【０００７】
底部グリップは、ユーザが指を使ってかみそりハンドルを後ろから掴むのを容易にすることができる。底部グリップは、ハンドルの残りの部分に対する後部の大きな移動振幅を制限することができる。大きな移動振幅は、全体的な剃毛性能を低下させる可能性があるため、望ましくない。より具体的には、大きな移動振幅は、かみそりヘッドと皮膚との間の密接な接触を妨げ、それ故、効率的な剃毛を最小にする。
−  後部の長さは約２５ｍｍ〜５０ｍｍである。
−  後部はさらに突出部を含み、突出部は後部に沿って延びる。
−  突出部は完全には見えない。
−  ハンドル本体は、長手方向に沿って幅が一定ではない。
【図面の簡単な説明】
【０００８】
本開示の他の特徴および利点は、添付の図面を参照しながら、非限定的な例として提供される以下の説明から容易に明らかになるであろう。
【図１】図１は、シェービングかみそりの斜視上面図である。
【図２】図２は、図１のシェービングかみそりの上面図である。
【図３】図３は、図１のシェービングかみそりの底面図である。
【図４】図４は、図１のシェービングかみそりの側面図である。
【図５】図５ａ、図５ｂおよび図５ｃは、図１のハンドル本体の後部の動きを示す図である。
【図６】図６は、第２の態様によるシェービングかみそりの斜視上面図である。
【図７】図７は、図６のシェービングかみそりの上面図である。
【図８】図８は、図６のシェービングかみそりの底面図である。
【図９】図９は、図６のシェービングかみそりの側面図である。
【図１０−１】図１０ａ、図１０ｂ、図１０ｃは、図６のハンドル本体の後部の動きを示す図である。
【図１０−２】図１０ｄ、図１０ｅおよび図１０ｆは、図６のハンドル本体の後部の動きを示す図である。
【発明を実施するための形態】
【０００９】
本明細書の態様は、図１または図６に示すように、シェービングかみそり２０を含む。かみそり２０は、カートリッジ２２およびかみそりハンドル２４を含み得る。カートリッジ２２はブレード２１を含み得る。各ブレード２１は刃先２３を含むことができる。各刃先２３は、カートリッジ２２の長手方向Ｌ２２に沿って延びることができる。
【００１０】
かみそりハンドル２４は、ハンドル本体２６を含み得る。ハンドル本体２６は、長手方向Ｌ２６に沿って延びてもよい。より正確には、ハンドル本体２６は前部２８および後部３０を含み得る。後部３０は自由端５１を含むことができる。さらに、かみそりハンドル２４は、後部３０の反対側に配置された接続部３２を含むことができる。
【００１１】
接続部３２は、前部２８から延在してもよく、カートリッジ２２との接続を容易にするために設けられてもよい。より正確には、さらなる態様では、長手方向Ｌ２２に沿って延びるカートリッジ２２は、枢動軸Ｒの周りをかみそりハンドル２４に枢動可能に取り付けられてもよい。したがって、カートリッジ２２は、例えば、その全体が参照により本明細書に組み込まれる欧州特許第２  ４５９  ３５３  Ａ１号に記載されるように、かみそりハンドル２６に対して枢動することができる。枢動軸Ｒは、実際には、カートリッジ２２の長手方向Ｌ２２と平行であり得る。
【００１２】
接続部３２はまた、前部２８からハンドル本体２６から離れる方向に延びる２つの細長いアーム３３と、やはりハンドル本体２６から２本の細長いアーム３３の間のハンドル本体２６から離れる方向に延びることができる付勢部材３１とを含むことができる。付勢部材３１は、弾性舌状部３１として形成されてもよく、２つの細長いアーム３３によって画定される平面に対して垂直な方向に撓むことが可能であってもよい。さらなる態様によれば、付勢部材３１は、かみそりハンドル２４からのカートリッジ２２の解放を容易にするプッシャーであり得る。さらなる態様では、接続部３２は、３つ以上のアームを含み、かつ／または他の同様に知られている設計を組み込むことができる。さらに別の態様（図示せず）では、カートリッジ２２をかみそりハンドル２４の接続部３２にしっかりと取り付けることができる。
【００１３】
図１、図４、図５ａ、図５ｂ、図５ｃおよび図９は、ハンドル本体２６のさらなる態様を示しており、ハンドル本体２６は頂部２６Ａおよび底部２６Ｂを含むことができる。頂部２６Ａと底部２６Ｂとは、ハンドル本体２６の長手方向Ｌ２６に延びる長手方向平面Ｌに沿って分離されてもよい。図３および図８に示すように、ブレード２１の刃先２３は、ハンドル本体２６の底部２６Ｂと同じ側に延びている。
【００１４】
さらなる態様によれば、ハンドル本体２６の異なる部分の長さは、以下に詳述するように水平軸Ｈに関してハンドル本体２６の長手方向Ｌ２６に沿って画定されてもよい。
−  後部３０の長さＬ３０は、２５ｍｍから５０ｍｍの間であり得る。後部分３０の長さＬ３０は、かみそりハンドル２４の後自由端５１から境界線３６まで測定することができる。境界線３６は、後部３０とハンドル本体２６の残りの部分とを分離する線として定義することができる。例えば、長さＬ３０は４２ｍｍであり得る。
−  かみそりハンドル２４の長さＬ２４は、１００ｍｍから１４０ｍｍの間であり得る。かみそりハンドル２４の長さ２４は、かみそりハンドル２４の後自由端５１からカートリッジ２２の長手方向Ｌ２２までの長さを測定することができる。例えば、長さＬ２４は１２５ｍｍであり得る。
【００１５】
さらに別の態様では、ハンドル本体２６は長手方向Ｌ２６に沿って一定の幅を持たなくてもよい。例えば、後部３０は、第１の幅Ｗ３０を有してもよい。第１の幅Ｗ３０は、長手方向平面Ｌに沿った軸Ｗに沿って、水平軸Ｈに対して垂直に測定され得る。第１の幅Ｗ３０は、１５ｍｍから４０ｍｍの間であり得る。例えば、幅Ｗ３０は３１ｍｍとすることができる。さらなる態様では、ハンドル本体２６の後部３０は、第２の幅Ｗ３６を含み得る。第２の幅Ｗ３６は、後部３０の境界線３６に沿って長手方向平面Ｌに対して垂直に測定することができる。第２の幅Ｗ３６は、１５ｍｍから４０ｍｍの間であり得る。例えば、幅Ｗ３６は、２３ｍｍであり得る。またさらなる態様は、第２の幅Ｗ３６が第１の幅Ｗ３０よりも小さいことを含み得る。
【００１６】
さらなる態様によれば、ハンドル本体２６は、２つの材料、すなわち第１の材料と第２の材料とを含み得、第２の材料は、第１の材料よりも弾性的であり得る。例えば、第１の材料はプラスチック製であり得る。別の例では、第２の材料はゴムであり得る。第２の材料の弾性特性は、ユーザに握り領域を提供することができ、それによってハンドル本体２６の可撓性によって剃毛かみそり２０のより正確な取り扱いを可能にする。さらなる態様では、ハンドル本体２６は、第２の材料から形成され得る弾性部分４２を含み得る。弾性部４２は、ハンドル本体２６の後部３０に配置されてもよい。その結果、後部３０は、このように部分的に第１の材料から、そして部分的に第２の材料から作られ得る。さらに、第２の材料は、それによって、ユーザによって弾性部分４２に加えられる力を吸収するように作用するサスペンションを提供することができる。さらなる態様によれば、第２の材料も香り付けすることができ、それにより、健康および効率的で清潔な剃毛の感覚が高まる。
【００１７】
さらなる態様では、ハンドル本体２６の弾性特性は、ハンドル本体２６の後部３０の動きを容易にする。例えば、ハンドル本体の後部３０は、休止位置Ｐ０と伸張位置Ｐ１、Ｐ２またはＰ３との間で移動可能であり得る。全ての態様によれば、休止位置Ｐ０から、ハンドル本体２６の後部３０は、図５ａ、図５ｂ、図５ｃおよび図１０に見られるように、後部３０が伸張位置Ｐ１、Ｐ２またはＰ３に達するまで、残りのかみそりハンドル２４に対して移動することができる。しかしながら、後部３０が応力を受けていないとき、かみそりハンドル２４の後部３０は常に元の休止位置Ｐ０に戻ることができる。
【００１８】
さらなる態様によれば、後部３０全体は弾性部４２からなる。後部３０の外形は、ハンドル本体２６の全体的な外形に従うことができる。したがって、後部３０は、ハンドル本体２６の全体形状に関して拡張または他の突起を形成しない。そのため、ハンドル本体２６の全体的な形状から、ハンドル本体２６の後部３０の境界線３６を識別することは不可能であり得る。
【００１９】
さらに別の態様では、図５ａ、図５ｂおよび図５ｃは、かみそりハンドル２４に対する、より正確には横軸Ｔに対する後部３０の動きを詳述している。横軸Ｔは、頂部２６Ａから底部２６Ｂへハンドル本体２６を通過してもよい。横軸Ｔは長手方向平面Ｌに垂直である。したがって、後部３０は横軸Ｔに沿って上下に動くことができる。
【００２０】
さらなる態様では、後部３０は、かみそりハンドルに対して回転し得る。言い換えれば、後部３０は、休止位置Ｐ０から上方または下方に曲がることができる。したがって、水平軸Ｈに沿って測定すると、かみそりハンドル２４の全長を短くすることができる。より正確には、後部３０の自由端５１は、横軸Ｔに沿って休止位置Ｐ０から伸張位置Ｐ１まで、上下両方向に、残りのかみそりハンドル２４に対して移動することができる。横軸Ｔに沿った、伸張位置Ｐ１と休止位置Ｐ０との間の距離Ｄ１は、２０ｍｍから４０ｍｍの間であり得る。好ましくは、距離Ｄ１は２５ｍｍから２８ｍｍの間であり得る。さらに、水平軸Ｈに沿って測定したときの長さＬ２６は、休止位置Ｐ０から伸張位置Ｐ１まで減少してもよい。例えば、長さＬ２６は、０ｍｍから２５ｍｍまで縮小されてもよい。好ましくは、長さＬ２６は１５ｍｍ減少され得る。またさらなる態様では、弾性部４２は、図５ａ、図５ｂおよび図５ｃに示されるように、ハンドル本体２６の長手方向軸Ｌ２６に沿ってねじれてもよい。
【００２１】
さらなる態様によれば、第２の材料のサンプルは、後部３０の弾性を例示する実験的測定を実施するために選択される。図４は、力Ｆが横軸Ｔに沿って作用点５２で垂直に作用している間に、後部３０のほぼ半分が固定されている（ハッチング領域で表されている）実験測定を詳述している。後部３０は、例えばクランプでマウントに固定することができる。自由端５１と作用点５２との間の水平軸Ｈに沿った距離Ｄ５２は１００ｍｍとすることができ、水平軸Ｈに沿った固定部の長さＤＦは、かみそりハンドル２４の底部２６Ｂから２１ｍｍとすることができる。以下の表は、力Ｆの関数として得られた力Ｆの作用点５２における横軸Ｔに沿った変位値をまとめたものである。
【００２２】
【表１】
2020516329.tif 000003
【００２３】
以下の特性を含む、弾性部４２を形成する第２の材料を用いて変位の値を得る。
−  引張強度：１．３〜１．８ＭＰａ
−  破断点伸び：１００〜１３０ｍｍ
−  ショア硬度：３９〜４１（スケールＡ）
−  引張引裂抵抗：５．０〜７．０Ｋｇ／ｃｍ
【００２４】
さらなる態様によれば、図６〜図１０ｆに示すように、後部３０は、３つの異なる部分、すなわち、自由端部５０、弾性部４２および突出部５５を含むことができる。突出部５５は、後部３０に沿って延在してもよく、弾性部４２と後部３０の残りの部分との間により良好な固定を提供する。
【００２５】
さらに別の態様では、図８に示すように、自由端部５０は後部３０の外形を形成することができる。突出部５５は、後部３０の境界線３６から突出して凹部で終わってもよい。凹部は、ユーザの指のための静止領域を提供する底部グリップ５４であり得る。底部グリップ５４は底部２６Ｂに配置されてもよい。さらに、自由端部５０は底部グリップ５４のための凹部を形成する。底部グリップ５４の中心点Ｃ５４は、自由端５１の１５ｍｍから３０ｍｍの間に位置している。例えば、中心点Ｃ５４は、長手方向Ｌ２６に対して、自由端５１の２３ｍｍに位置する。
【００２６】
さらなる態様によれば、突出部５５は完全に見えなくてもよく、底部グリップ５４は底部２６Ｂからのみ見えてもよい。突出部５５（ひいては底部グリップ５４）と自由端部５０とは、弾性部４２によって互いに分離されていてもよい。このように、弾性部４２は、自由端部５０と突出部５５との間に位置していてもよい。言い換えれば、弾性部４２は、自由端部５０と突出部５５との間に位置する後部３０内の材料の空隙内に形成され充填された材料を含むことができ、それによって拡張や他の突起を含まないハンドル本体２６の全体形状を達成する。したがって、ハンドル本体２６の全体形状から、ハンドル本体２６内に配置された弾性部分４２の位置を識別することは不可能であり得る。
【００２７】
さらなる態様では、底部グリップ５４は、弾性部４２に対して形成されなくてもよい。したがって、ハンドル本体２６の内側に位置する底部グリップ５４の部分は、弾性部４２と接合されておらず、自由に動くことができる。
【００２８】
さらなる態様によれば、弾性部４２は頂部グリップ部５６を形成して、ユーザの指のための静止領域を提供してもよい。頂部グリップ部５６は頂部２６Ａに配置されてもよい。
【００２９】
さらなる態様では、底部グリップ５４および弾性部４２は互いに対して動くことができる。言い換えれば、弾性部４２と接触する後部３０は、底部グリップ５４および突出部５５（したがってかみそりハンドル２４）に対して移動することができる。より正確には、後部３０の自由端５１は、休止位置Ｐ０から上方への伸張位置Ｐ２および下方への伸張位置Ｐ３まで横軸Ｔに沿ってかみそりハンドル２４の残りの部分に対して移動することができる。
【００３０】
さらなる態様では、自由端部５０は突出部５５に対して回転してもよい。横軸Ｔに沿った、伸張位置Ｐ２と休止位置Ｐ０との間の距離Ｄ２は、２ｍｍから１０ｍｍの間であり得る。例えば、距離Ｄ２は、好ましくは３ｍｍから６ｍｍの間であり得る。横軸Ｔに沿った、伸張位置Ｐ３と休止位置Ｐ０との間の距離Ｄ３は、１ｍｍから１５ｍｍの間であり得る。例えば、距離Ｄ３は、好ましくは３ｍｍから５ｍｍの間であり得る。
【００３１】
さらなる態様によれば、水平軸Ｈに沿って測定したときの長さＬ２６は、休止位置Ｐ０から伸張位置Ｐ２およびＰ３まで短縮されてもよい。例えば、長さＬ２６は、０ｍｍから１０ｍｍまで縮小されてもよい。したがって、伸張位置Ｐ２にあるとき、長さＬ２６は５ｍｍ減少され得る。別の例では、伸張位置Ｐ３にあるとき、長さＬ２６はしたがって３ｍｍだけ減少されてもよい。
【００３２】
さらに、図１０ａ、図１０ｂ、図１０ｃ、図１０ｄ、図１０ｅおよび図１０ｆに示すように、弾性部４２は、ハンドル本体２６の長手方向軸Ｌ２６に沿ってねじれてもよい。
【図１】
2020516329.tif 000004
【図２】
2020516329.tif 000005
【図３】
2020516329.tif 000006
【図４】
2020516329.tif 000007
【図５】
2020516329.tif 000008
【図６】
2020516329.tif 000009
【図７】
2020516329.tif 000010
【図８】
2020516329.tif 000011
【図９】
2020516329.tif 000012
【図１０−１】
2020516329.tif 000013
【図１０−２】
2020516329.tif 000014
【国際調査報告】
2020516329.tif 000015
2020516329.tif 000016
2020516329.tif 000017